(57)【要約】  多様な電子デバイスのための空間効率の良いカードリーダは、隣接して間隔を保ち電子デバイス内のプリント基板（ＰＣＢ）の部分から外へ向かって延びる複数の電気コネクタピンを備える。カバーは前記ＰＣＢの部分の上に横たわるように構成され、隣接して間隔を保って内部に形成される複数の開口を有する。各開口は、前記ＰＣＢの部分の上に横たわる固定位置に前記カバーがある場合に開口を通って前記コネクタピンの各１個を受け付けるように構成される。ソケットが前記カバーの外面に固定され、カードの電気接点が前記カバー内の前記開口を通って延びる前記コネクタピンと接触するように前記ソケット内に前記カードを取り外し可能に受け付けるように構成される。
2010529525.tif 000002
【特許請求の範囲】
【請求項１】
プリント基板（ＰＣＢ）を含む電子デバイスのための、カードリーダであって、
隣接して間隔を保ち前記ＰＣＢの部分から外へ向かって延びる複数の電気コネクタピンと、
前記ＰＣＢの部分の上に横たわるように構成されるカバーと、
前記カバーの外面に固定されるソケットと、
を備え、
前記カバーは、隣接して間隔を保って内部に形成される複数の開口を有し、各開口は、前記ＰＣＢの部分の上に横たわる固定位置に前記カバーがある場合に開口を通って前記コネクタピンの各１個を受け付けるように構成され、
前記ソケットは、カードの電気接点が前記コネクタピンと接触するように前記ソケット内に前記カードを取り外し可能に受け付けるように構成される
ことを特徴とするカードリーダ。
【請求項２】
前記開口それぞれの内部に配置されるガイドスリーブを更に備え、各ガイドスリーブは各開口を通ってのコネクタピンの挿入を促進するように構成されることを特徴とする請求項１に記載のカードリーダ。
【請求項３】
各ガイドスリーブは円錐構造を有することを特徴とする請求項２に記載のカードリーダ。
【請求項４】
前記カバーは、導電材料を含むシールドカンの蓋であり、前記ガイドスリーブは電気絶縁材料を含むことを特徴とする請求項２又は３に記載のカードリーダ。
【請求項５】
各ガイドスリーブは高分子材料を含むことを特徴とする請求項３又は４に記載のカードリーダ。
【請求項６】
前記シールドカンの蓋は、銅、銅合金、アルミニウム、アルミニウム合金、金、金合金、銀、銀合金、はんだ被覆銅、ニッケル平板鋼、及び金属化高分子材料から成る集合から選択される材料を含むことを特徴とする請求項４又は５に記載のカードリーダ。
【請求項７】
各コネクタピンは円錐構造を有することを特徴とする請求項１乃至６のいずれか１項に記載のカードリーダ。
【請求項８】
各コネクタピンは、当該コネクタピンを前記ＰＣＢから飛び出させるように構成されるバイアス部材を有することを特徴とする請求項１乃至６のいずれか１項に記載のカードリーダ。
【請求項９】
前記バイアス部材はコイルバネを含むことを特徴とする請求項８に記載のカードリーダ。
【請求項１０】
プリント基板（ＰＣＢ）を含む電子デバイスのための、カードリーダであって、
隣接して間隔を保ち前記ＰＣＢの部分から外へ向かって延びる複数の電気コネクタピンと、
前記ＰＣＢの部分の上に横たわるように構成されるカバーと、
前記カバーの外面に固定されるソケットと、
を備え、
各コネクタピンは、当該コネクタピンを前記ＰＣＢから飛び出させるように構成されるバイアス部材を有し、
前記カバーは、隣接して間隔を保って内部に形成される複数の開口を有し、各開口は、前記ＰＣＢの部分の上に横たわる固定位置に前記カバーがある場合に開口を通って前記コネクタピンの各１個を受け付けるように構成され、
前記ソケットは、カードの電気接点が前記コネクタピンと接触するように前記ソケット内に前記カードを取り外し可能に受け付けるように構成され、
前記カードリーダは、前記開口それぞれの内部に配置されるガイドスリーブを備え、各ガイドスリーブは各開口を通ってのコネクタピンの挿入を促進するように構成される
ことを特徴とするカードリーダ。
【請求項１１】
各ガイドスリーブは円錐構造を有することを特徴とする請求項１０に記載のカードリーダ。
【請求項１２】
前記カバーは、導電材料を含むシールドカンの蓋であり、前記ガイドスリーブは電気絶縁材料を含むことを特徴とする請求項１０又は１１に記載のカードリーダ。
【請求項１３】
各コネクタピンは円錐構造を有することを特徴とする請求項１０乃至１２のいずれか１項に記載のカードリーダ。
【請求項１４】
前記バイアス部材はコイルバネを含むことを特徴とする請求項１０乃至１３のいずれか１項に記載のカードリーダ。
【請求項１５】
ハウジングと、
前記ハウジング内部に配置されるプリント基板（ＰＣＢ）と、
隣接して間隔を保ち前記ＰＣＢの部分から外へ向かって延びる複数の電気コネクタピンと、
前記ＰＣＢの部分の上に横たわるように構成されるカバーと、
前記カバーの外面に固定されるソケットと、
を備え、
前記カバーは、隣接して間隔を保って内部に形成される複数の開口を有し、各開口は、前記ＰＣＢの部分の上に横たわる固定位置に前記カバーがある場合に開口を通って前記コネクタピンの各１個を受け付けるように構成され、
前記ソケットは、カードの電気接点が前記コネクタピンと接触するように前記ソケット内に前記カードを取り外し可能に受け付けるように構成される
ことを特徴とする電子デバイス。
【請求項１６】
前記ソケット内部に配置されるカードを更に備えることを特徴とする請求項１５に記載の電子デバイス。
【請求項１７】
前記カードは加入者ＩＤモジュール（ＳＩＭ）カードであることを特徴とする請求項１６に記載の電子デバイス。
【請求項１８】
前記カードはメモリカードであることを特徴とする請求項１６又は１７に記載の電子デバイス。
【請求項１９】
前記開口それぞれの内部に配置されるガイドスリーブを更に備え、各ガイドスリーブは各開口を通ってのコネクタピンの挿入を促進するように構成されることを特徴とする請求項１５乃至１８のいずれか１項に記載の電子デバイス。
【請求項２０】
前記カバーは、導電材料を含むシールドカンの蓋であり、前記ガイドスリーブは電気絶縁材料を含むことを特徴とする請求項１９に記載の電子デバイス。
【請求項２１】
各ガイドスリーブは円錐構造を有することを特徴とする請求項１９又は２０に記載の電子デバイス。
【請求項２２】
各コネクタピンは円錐構造を有することを特徴とする請求項１５乃至２１のいずれか１項に記載の電子デバイス。
【請求項２３】
各コネクタピンは、当該コネクタピンを前記ＰＣＢから飛び出させるように構成されるバイアス部材を有することを特徴とする請求項１５乃至２２のいずれか１項に記載の電子デバイス。
【請求項２４】
前記バイアス部材はコイルバネを含むことを特徴とする請求項２３に記載の電子デバイス。
【請求項２５】
前記電子デバイスは無線電話であることを特徴とする請求項１５乃至２５のいずれか１項に記載の電子デバイス。
【発明の詳細な説明】
【技術分野】
【０００１】
本発明は、概して電子デバイスに関し、より詳しくは、電子デバイス内のカードリーダに関する。
【背景技術】
【０００２】
無線電話とは一般的に、１以上の他の通信端末への無線通信リンクを提供する通信端末を意味する。無線電話は、多様な異なる応用分野において使用可能であり、これには、セルラ電話、地上移動通信システム（警察及び消防の分野）、及び衛星通信システムが含まれる。無線電話は、「スマート」カードとも呼ばれるＳＩＭ（加入者ＩＤモジュール）カードを使用する場合があり、ＳＩＭカードは、セルラ電話加入者に関するデータを格納する。そのようなデータには、ユーザＩＤ、位置及び電話の番号、ネットワーク用許可データ、パーソナルセキュリティキー、住所録、格納されたテキストメッセージなどが含まれ得る。ＳＩＭカードはまた、データ保護及び盗聴防止のための、多様な認証機能及び暗号化機能も提供する。
【０００３】
ＳＩＭカードは、無線電話に対して着脱されるように構成される。ＳＩＭカードリーダは、一般的に無線電話に組み込まれており、ＳＩＭカードの装着及び取り外しを促す。そのようなものとして、ＳＩＭカードは可搬であり、或る無線電話から別の無線電話へと切り替え可能である。データの可搬性は、多数の利益を提供する。例えば、新しい無線電話を購入したユーザは、現在のＳＩＭカードを装着することにより、新しい無線電話に対して、古い無線電話と同じ番号及びユーザプリファレンスなどを関連づけることができる。
【０００４】
無線電話のような電子デバイスは、小型化が進行中である。実際、多くの最新の無線電話は、長さが１１センチメートル未満である。その結果、サイズが絶えず減少する無線電話及びその他の電子デバイスにおいて貴重な空間を節約することについての関心が高まりつつある。従来のＳＩＭカードリーダは、他の種類のカードリーダと同様、無線電話のような電子デバイス内の、他のコンポーネントのために使用可能であったかもしれない貴重な空間を使用する。それゆえ、従来のカードリーダよりも小さな空間を使用するカードリーダについてのニーズが存在する。
【発明の概要】
【課題を解決するための手段】
【０００５】
上述の議論に鑑み、電子デバイスのための空間効率の良いカードリーダを提供する。本発明のいくつかの実施形態によれば、電子デバイスのためのカードリーダは、隣接して間隔を保ち前記電子デバイス内のプリント基板（ＰＣＢ）の部分から外へ向かって延びる複数の電気コネクタピンを備える。カバーは前記ＰＣＢの部分の上に横たわるように構成され、隣接して間隔を保って内部に形成される複数の開口を有する。各開口は、前記ＰＣＢの部分の上に横たわる固定位置に前記カバーがある場合に開口を通って前記コネクタピンの各１個を受け付けるように構成される。ソケットが前記カバーの外面に固定され、カード（例えば、ＳＩＭカードやメモリカードなど）の電気接点が前記カバー内の前記開口を通って延びる前記コネクタピンと接触するように前記ソケット内に前記カードをスライド可能且つ取り外し可能に受け付けるように構成される。
【０００６】
本発明のいくつかの実施形態によれば、ガイドスリーブ（案内用の袖）が前記開口それぞれの内部に配置される。各ガイドスリーブは各開口を通ってのコネクタピンの挿入を促進するように構成される。例えば、ガイドスリーブは、各開口を通るようにコネクタピンを仕向けるように構成される形状又は構造を有してもよい。本発明のいくつかの実施形態によれば、コネクタピンは凸状円錐形状を有し、対応するガイドスリーブは、内部に前記コネクタピンを受け付けるように構成される凹状円錐形状を有する。
【０００７】
本発明のいくつかの実施形態によれば、前記カバーは、例えば、銅、銅合金、アルミニウム、アルミニウム合金、金、金合金、銀、銀合金、はんだ被覆銅、ニッケル平板鋼、金属化高分子材料導電材料などの導電材料を含むシールドカンの蓋である。前記ガイドスリーブは、高分子材料のような電気絶縁材料を含む。前記コネクタピンとカバーの開口との間の整列を促進することに加えて、前記電気絶縁ガイドスリーブは、前記コネクタピンと前記カバーとの間の接触を防止する。
【０００８】
本発明のいくつかの実施形態によれば、各コネクタピンは、当該コネクタピンを前記ＰＣＢから飛び出させるように構成される、バネのようなバイアス部材に関連づけられる。代表的なバネはコイルバネである。しかしながら、他の種類のバネも使用可能である。
【０００９】
本発明のいくつかの実施形態によれば、無線電話のような電子デバイスのためのカードリーダは、隣接して間隔を保ちＰＣＢの部分から外へ向かって延びる複数の電気コネクタピンを備える。各コネクタピンは、当該コネクタピンを前記ＰＣＢから飛び出させるように構成される、コイル又は他の種類のバネのようなバイアス部材を有する。カバーが前記ＰＣＢの部分の上に横たわるように構成され、隣接して間隔を保って内部に形成される複数の開口を有する。各開口は、前記ＰＣＢの部分の上に横たわる固定位置に前記カバーがある場合に開口を通って前記コネクタピンの各１個を受け付けるように構成される。ガイドスリーブが前記開口それぞれの内部に配置される。各ガイドスリーブは各開口を通ってのコネクタピンの挿入を促進するように構成される。カードソケットが前記カバーの外面に固定され、カード（例えば、ＳＩＭカードやメモリカードなど）の電気接点が前記コネクタピンと接触するように前記ソケット内に前記カードをスライド可能且つ取り外し可能に受け付けるように構成される。
【００１０】
本発明のいくつかの実施形態によれば、各コネクタピンは凸状円錐形状を有し、対応する各ガイドスリーブは、内部に前記コネクタピンを受け付けるように構成される凹状円錐形状を有する。
【００１１】
本発明のいくつかの実施形態によれば、前記カバーは、導電材料を含むシールドカンの蓋であり、前記ガイドスリーブは電気絶縁材料を含む。前記コネクタピンとカバーの開口との間の整列を促進することに加えて、前記電気絶縁ガイドスリーブは、前記コネクタピンと前記カバーとの間の接触を防止する。
【００１２】
本発明のいくつかの実施形態によれば、無線電話のような電子デバイスは、ハウジングと、前記ハウジング内部に配置されるプリント基板（ＰＣＢ）と、隣接して間隔を保ち前記ＰＣＢの部分から外へ向かって延びる複数の電気コネクタピンと、前記ＰＣＢの部分の上に横たわるように構成されるカバーと、前記カバーの外面に固定されるソケットと、を備え、前記カバーは、隣接して間隔を保って内部に形成される複数の開口を有し、各開口は、前記ＰＣＢの部分の上に横たわる固定位置に前記カバーがある場合に開口を通って前記コネクタピンの各１個を受け付けるように構成され、前記ソケットは、カードの電気接点が前記コネクタピンと接触するように前記ソケット内に前記カードを取り外し可能に受け付けるように構成される。ＳＩＭカードやメモリカードなどのカードは、前記ソケット内部に取り外し可能に配置される。
【００１３】
本発明のいくつかの実施形態によれば、前記電子デバイスは、前記カバーの開口それぞれの内部に配置されるガイドスリーブを備える。各ガイドスリーブは各開口を通ってのコネクタピンの挿入を促進するように構成される。例えば、ガイドスリーブは、内部にコネクタピンを容易に受け付け、各開口を通るように前記コネクタピンを仕向けるように構成される、形状又は構造を有してもよい。本発明のいくつかの実施形態によれば、コネクタピンは凸状円錐形状を有し、対応するガイドスリーブは、内部に前記コネクタピンを受け付けるように構成される凹状円錐形状を有する。
【００１４】
本発明のいくつかの実施形態によれば、前記カバーは、前記電子デバイス内部のシールドカンの蓋としての役割を果たし、導電材料を含む。前記ガイドスリーブは高分子材料のような電気絶縁材料を含み、前記コネクタピンと前記カバーとの間の接触を防止する。
【００１５】
本発明のいくつかの実施形態によれば、前記電子デバイスは、各コネクタピンに関連づけられる、バネのようなバイアス部材を備える。各バイアス部材は、コネクタピンを前記ＰＣＢから飛び出させるように構成される。代表的なバネはコイルバネである。しかしながら、他の種類のバネも使用可能である。
【００１６】
本発明のいくつかの実施形態によれば、前記電子デバイス内部の各コネクタピンは凸状円錐形状を有し、対応する各ガイドスリーブは、内部に前記コネクタピンを受け付けるように構成される凹状円錐形状を有する。
【図面の簡単な説明】
【００１７】
【図１】本発明の実施形態に従うカードリーダを内部で使用可能な無線電話の斜視図である。
【図２】図１の無線電話内部の電子コンポーネントの従来の構成の概略ブロック図である。
【図３】本発明の実施形態に従うカードリーダの部分を形成し、隣接して間隔を保ちそこから外へ向かって延びる複数の電気コネクタピンを含む、電子デバイス内のＰＣＢの斜視図である。
【図４】本発明の実施形態に従うカードリーダの部分であって、図３に示すＰＣＢの上に横たわるように構成される、カバーの斜視図である。
【図５】図３のＰＣＢに固定された図４のカバーの斜視図であり、本発明の幾つかの実施形態に従う、スライド可能且つ取り外し可能にカードを受け付けるように構成されるカバー上のソケット（レセプタクル）を示す。
【図６】図５に示すソケット内に取り外し可能に置かれたカードを示す。
【発明を実施するための形態】
【００１８】
これ以降、本発明の好適な実施形態が示されている添付の図面を参照して、本発明を更に十分に説明する。しかしながら、本発明は、多数の異なる形態で具現化可能であり、ここで説明される実施形態に限定されるものとして解釈してはならない。むしろ、これらの実施形態は、ここでの開示が十分且つ完全なものとなり、そして本発明の範囲を当業者に十分に伝達するように、提供される。
【００１９】
全体を通して、同様の番号は同様のエレメントを示す。図面において、所与の線、層、コンポーネント、エレメント、又は特徴の厚みは、明確にするために誇張されている場合もある。
【００２０】
ここで使用される用語は、特定の実施形態を説明することを目的としただけであり、本発明の限定となることを意図してはいない。ここで使用されるように、単数形「ａ」、「ａｎ」、及び「ｔｈｅ」は、文脈が明確にそうではないと示していない限り、複数形も含むことを意図している。「含む（ｃｏｍｐｒｉｓｅｓ）」及び／又は「含んでいる（ｃｏｍｐｒｉｓｉｎｇ）」という用語は、本明細書において使用される場合、言及された特徴、整数、ステップ、動作、エレメント、及び／又はコンポーネントの存在を示すが、１以上の他の特徴、整数、ステップ、動作、エレメント、コンポーネント、及び／又はその集合の存在又は追加を排除する訳ではない、ということも更に理解されるであろう。ここで使用されるように、「及び／又は（ａｎｄ／ｏｒ）」という用語は、１以上の関連して列挙された項目のありとあらゆる組み合わせを含む。
【００２１】
そうではないと定義されない限り、ここで使用される（技術用語及び科学用語を含む）全ての用語は、本発明が属する技術分野における当業者によって一般に理解されるものと同じ意味を持つ。一般に使用される辞書に定義されているような用語は、本明細書の文脈及び関連技術において、それらの意味と矛盾しない意味を持つものとして解釈されるべきであり、理想化されたり過度に形式的な意味では、ここで明示的にそのように定義されない限り、解釈されるべきではない、ということも更に理解されるであろう。よく知られている機能及び構造は、簡潔さ及び／又は明確さを目的として、詳細には説明されない場合もある。
【００２２】
或るエレメントが他のエレメントに対して、「上にある（ｏｎ）」、「付着（ａｔｔａｃｈｅｄ）」している、「接続（ｃｏｎｎｅｃｔｅｄ）」している、「結合（ｃｏｕｐｌｅｄ）」している、「接触している（ｃｏｎｔａｃｔｉｎｇ）」などと言われた場合、そのエレメントは他のエレメントに対して直接、上にあったり、付着していたり、接続していたり、結合していたり、接触していたりしてもよく、また、中間エレメントが存在していてもよい、が理解されよう。対照的に、或るエレメントが他のエレメントに対して、例えば、「直接上にある（ｄｉｒｅｃｔｌｙ  ｏｎ）」、「直接付着（ｄｉｒｅｃｔｌｙ  ａｔｔａｃｈｅｄ）」している、「直接接続（ｄｉｒｅｃｔｌｙ  ｃｏｎｎｅｃｔｅｄ）」している、「直接結合（ｄｉｒｅｃｔｌｙ  ｃｏｕｐｌｅｄ）」している、「直接接触している（ｄｉｒｅｃｔｌｙ  ｃｏｎｔａｃｔｉｎｇ）」と言われた場合、中間エレメントは存在しない。また、他の特徴に「隣接して（ａｄｊａｃｅｎｔ）」配置されている構造又は特徴に対する言及は、隣接する特徴に重なり合ったりその下にあったりする部分を持ってもよいということが、当業者によって理解されよう。
【００２３】
「下（ｕｎｄｅｒ）」、「下方（ｂｅｌｏｗ）」、「低い（ｌｏｗｅｒ）」、「上（ｏｖｅｒ）」、「上方（ｕｐｐｅｒ）」などのような空間的に相対的な用語は、ここでは、図示される或るエレメント又は特徴の他のエレメント又は特徴に対する関係を説明するための説明を容易にするために使用され得る。空間的に相対的な用語は、図面において記述されている向きに加えて、使用時又は動作時のデバイスの様々な向きを包含することを意図しているということ、が理解されよう。例えば、図面内のデバイスが逆さにされると、他のエレメント又は特徴の「下（ｕｎｄｅｒ）」又は「真下（ｂｅｎｅａｔｈ）」に記載されているエレメントは、当該他のエレメント又は特徴の「上（ｏｖｅｒ）」に向けられるであろう。それゆえ、「下（ｕｎｄｅｒ）」という例示的な用語は、「上（ｏｖｅｒ）」及び「下（ｕｎｄｅｒ）」両方の向きを包含し得る。デバイスは違うふうに向けられ得る（９０度回転したり、別の向きに回転したりする）ものであり、ここで使用される空間的に相対的な説明は、それに応じて解釈される。同様に、「上方へ（ｕｐｗａｒｄｌｙ）」、「下方へ（ｄｏｗｎｗａｒｄｌｙ）」、「垂直（ｖｅｒｔｉｃａｌ）」、「水平（ｈｏｒｉｚｏｎｔａｌ）」などの用語は、ここでは、明示的に断りがない限り、説明を目的としてのみ使用される。
【００２４】
「電子デバイス（ｅｌｅｃｔｒｏｎｉｃ  ｄｅｖｉｃｅ）」という用語は、本発明の実施形態に従うカードリーダを含むことができるあらゆる種類のデバイスを含む。本発明の実施形態に従うカードリーダを含むことができる代表的な電子デバイスには、限定する訳ではないが、セルラ無線端末（例えば、無線電話）、パーソナルコミュニケーションシステム（ＰＣＳ）端末、携帯情報端末（ＰＤＡ）、ラップトップ及び／又はパームトップのデバイス、他の移動／無線デバイス、デスクトップ演算デバイスなどが含まれる。
【００２５】
図１を参照すると、本発明の実施形態に従うカードリーダを含むことができる従来の無線電話デバイスが示されている。しかしながら、本発明の実施形態によれば、カードリーダは、その他の電子デバイスに加えて任意の種類の無線電話デバイスに組み込み可能である。図示される無線電話１０は、ヒンジで一緒に接続された、第１のハウジング部１２及び第２のハウジング部１４を含む。第１のハウジング部１２はディスプレイ画面１６を含み、第２のハウジング部１４はキーパッド１８を含む。第１及び第２のハウジング１２，１４にハウジングされているのは、無線電話１０が無線電話通信信号を送受信することを可能にする電子コンポーネント（不図示）である。本発明の実施形態に従うカードリーダは、２つのハウジング部１２，１４のいずれかの中に位置することができる。
【００２６】
ここで図２を参照すると、図１に示すような無線電話が無線端末通信信号を送信及び／又は受信することを可能にする電子コンポーネントの従来の構成が示されている。図示されるように、無線通信信号を受信及び／又は送信するアンテナ２０は、無線周波数（ＲＦ）送受信機２２に電気的に接続されており、ＲＦ送受信機２２はマイクロプロセッサのようなコントローラ２５に更に電気的に接続されている。コントローラ２５は、コントローラ２５からの信号を無線電話のユーザへ送信するように構成されるスピーカ２６に電気的に接続されている。コントローラ２５はまた、ユーザからの音声信号を受信すると共にコントローラ２５及び送受信機２２を介してその音声信号をリモートデバイスへ送信するマイクロフォン２７に電気的に接続されている。コントローラ２５は、キーパッド１８及びディスプレイ１６に電気的に接続されている。コントローラ２５は、例えばＳＩＭカードリーダやメモリカードリーダなどのようなカードリーダ３０に電気的に接続されている。
【００２７】
ここで図３から図６を参照すると、例えば図１の無線電話のような電子デバイス１０内部で使用するための、本発明の実施形態に従うカードリーダ３０が示されている。本発明の実施形態によれば、カードリーダは、電子デバイスに対して装着及び／又は取り外しされるように構成される任意の種類のカードのために使用可能である。代表的なカードリーダには、限定する訳ではないが、ＳＩＭカードリーダやメモリカードリーダなどが含まれる。図示される電子デバイス１０は無線電話であるが、カードリーダ３０は、無線電話内部で使用することに限定される訳ではない。
【００２８】
図示される実施形態では、隣接して間隔を保つ複数の電気コネクタピン３２が、電子デバイス１０内部のプリント基板（ＰＣＢ）３４の部分から外側へ向かって延びる。コネクタピン３２は、カード（例えば、ＳＩＭカードやメモリカードなど）の電気的接点に関与すると共にカード内の電子コンポーネントを例えばコントローラ２５に電気的に相互接続させるように構成される、導電エレメントである。図示されるコネクタピン３２はそれぞれ、以下で説明するように、カバー内の開口との関与を促す凸状円錐構造を持つ。しかしながら、本発明の実施形態は、円錐形のコネクタピンに限定される訳ではない。多様な他の形状及び構造を使用可能である。
【００２９】
本発明の実施形態によれば、各コネクタピン３２は、バネのようなバイアス部材によってＰＣＢ３４から飛び出している。図示される実施形態では、各コネクタピン３２をＰＣＢ３４から飛び出させるために、コイルバネ３５が使用されている。各コネクタピン３２のコイルバネ３５はまた、以下で説明するように、カバー内の各開口との関与を促すことも補助する。１以上のコネクタピン３２は、当業者であれば理解できるように、複数の接点を提供するために、及び／又は、よりしっかりした接続を提供するために、その内部に形成される開口を含んでもよい。
【００３０】
カバー４０は、そこから延びるコネクタピン３２を持つＰＣＢ３４の、少なくとも一部の上に横たわるように構成される。カバー４０は、隣接して間隔を保って内部に形成される複数の開口４２を含む（図４）。各開口４２は、ＰＣＢ３４の上に横たわる固定位置にカバー４０がある場合に、自身を通してコネクタピン３２の各１個を受け付けるように構成される（図５）。
【００３１】
図示される実施形態では、各カバー開口４２にはガイドスリーブ４４が配置されている。各ガイドスリーブ４４は、各開口４２を通したコネクタピン３２の挿入を促進するように構成される。例えば、コネクタピン３２は、凸状円錐構造を持ってもよく、各ガイドスリーブ４４は、カバー４０がＰＣＢ３４の上に配置された場合に各開口４２内部でのコネクタピン３２の整列を促す、対応する凹状円錐構造を持ってもよい。更に、ガイドスリーブ４４の構造は、多様なコネクタピン３２が開口４２内部に突き刺さることを防止することができる。図５に示すように、カバー４０がＰＣＢ３４の上に配置されると、各コネクタピン３２は各開口４２を貫通し、カバー４０を通って突き出る。円錐形のピン３２及びガイドスリーブ４４は、バネ３５のバイアス力と相俟って、コネクタピン３２に対するカバー４０の配置の際の多少のずれを許容する。
【００３２】
ガイドスリーブ４４及びコネクタピン３２の形状は円錐形に限定される訳ではない。カバー４０がＰＣＢ３４に固定される際に開口４２に対するコネクタピン３２の整列を促進する多様な形状を使用可能である。
【００３３】
加えて、ガイドスリーブ４４は、カバー４０を通って延びるコネクタピン３２の高さを規定するために使用可能である。そのようなものとして、コネクタピン３２は、バネ３５のバイアス力によって十分に事前の負荷がかけられ、カードは、カードリーダ１０との良好な電気的接触を確かなものとしつつ、カードリーダ１０に対して容易に装着及び取り外しをすることができる。
【００３４】
図示される実施形態では、コネクタピン３２の各行についてガイドスリーブ４４が接続されている。これは、製造及び／又は組み立てを容易にするために行われてもよいが、必要とされる訳ではない。ガイドスリーブ４４は、多様な形状及び構造で一緒に連結されていてもよい。更に、１以上のガイドスリーブ４４は、個別の部品であってもよく、他のガイドスリーブ４４に接続されている必要はない。
【００３５】
当業者に知られているように、ＰＣＢは一般に、絶縁基板（例えば、プラスチック）の１以上の層を含み、ＰＣＢの層に取り付けられるか又は埋め込まれる多様な電子コンポーネント（例えば、半導体）を接続する導電金属（例えば、銅）の所定のパターンを配置することにより、絶縁基板の上に電気回路が形成される。これらの電気回路の多くは、高い無線周波数（ＲＦ）で動作可能なコンポーネントを含む。これらのコンポーネントからのＲＦの放出は、ＰＣＢの近傍の他のコンポーネント又は回路の適正な動作を妨害する場合がある。そのようなものとして、「シールドカン」と呼ばれる導電ハウジングが、ＰＣＢの多様な部分を覆うように構成される。
【００３６】
従って、本発明のいくつかの実施形態では、カードリーダ３０はシールドカンの一部であってもよい。例えば、ＰＣＢ３４は、シールドシステムの接地面の部分としての役割を果たしてもよく、カバー４０は、導電材料により形成されて、シールドカンの蓋としての役割を果たしてもよい。シールドカンの蓋として使用される場合、カバー４０は多様な導電材料により形成可能である。代表的な導電材料には、限定する訳ではないが、銅、銅合金、アルミニウム、アルミニウム合金、金、金合金、銀、銀合金、はんだ被覆銅、ニッケル平板鋼、及び金属化高分子材料が含まれる。カバー４０がシールドカンの蓋としての役割を果たす実施形態では、電気コネクタピン３２が各カバー開口４２を通って延びる際にカバー４０に接触することを防止するために、ガイドスリーブ４４は、例えば高分子材料のような電気絶縁材料により形成される。
【００３７】
シールドカンは、特に無線電話のような小型電子デバイス内部のＰＣＢの形状の制約が原因で、幾分複雑な形状及び構造を持つ可能性がある。従って、カバー４０は、実質的にあらゆる形状及び構造を持つ可能性があり、図面において示される構造に限定されない。
【００３８】
図示されるカバー４０はまた、カバー４０の外面４０ａに固定されるソケット５０を含む。ソケット５０は、図示されるように、両端５０ａ，５０ｂにおいて開いており、内部にカード６０をスライド可能且つ取り外し可能に受け付けることで、カード６０の電気接点がコネクタピン３２と接触する（図６）。図示されるソケット５０は、壁５２を含み、壁５２はそこから下方へ向かって従属する側面部分５４を伴う。そのようなものとして、壁５２は、カバー４０との間隔を保つ関係で保持される。カード６０は、図６に示すように、壁５２とカバー４０との間でスライド可能にスライド可能に挿入される。壁５２とカバー４０との間の距離は、カード６０の挿入及び取り外しが可能でありながら、カード６０の接点（不図示）と電気コネクタピン３２との間の電気的接触を維持可能なように、選択される。
【００３９】
ＰＣＢ３４上にコネクタピン３２を表面実装することにより、ＰＣＢ３４の周辺領域は、他のコンポーネントのために使用可能である。そのようなものとして、特に無線電話のような小型電子デバイス内部では貴重な空間を保全することができる。例えば、従来のＳＩＭカードリーダは約１５０ｍｍ２のＰＣＢ空間を使用する。本発明の実施形態によれば、カードリーダ３０は、約２５ｍｍ２のＰＣＢ空間しか使用しない。
【００４０】
前述したことは本発明の例示であり、本発明の限定としては解釈されない。本発明のいくつかの代表的な実施形態を説明してきたが、当業者であれば、本発明の新規な技術及び利点から大きく逸脱すること無しに、代表的な実施形態において多くの修正が可能であるということ、を容易に理解するであろう。従って、そのような修正は全て、請求の範囲に規定される本発明の範囲内に含まれることが意図されている。本発明は以下の請求の範囲によって規定され、請求の範囲の均等物はそこに含まれる。
【図１】
2010529525.tif 000003
【図２】
2010529525.tif 000004
【図３】
2010529525.tif 000005
【図４】
2010529525.tif 000006
【図５】
2010529525.tif 000007
【図６】
2010529525.tif 000008
【手続補正書】
【提出日】平成21年2月25日(2009.2.25)
【手続補正１】
【補正対象書類名】特許請求の範囲
【補正対象項目名】全文
【補正方法】変更
【補正の内容】
【特許請求の範囲】
【請求項１】
プリント基板「ＰＣＢ」（３４）を含む電子デバイス（１０）のための、カードリーダ（３０）であって、
隣接して間隔を保ち前記ＰＣＢ（３４）の部分から外へ向かって延びる複数の電気コネクタピン（３２）と、
前記ＰＣＢの部分の上に横たわるように構成されるシールドカンの蓋（４０）と、
前記シールドカンの蓋（４０）の外面（４０ａ）に固定されるソケット（５０）と、
を備え、
前記シールドカンの蓋（４０）は、導電材料を含み、隣接して間隔を保って内部に形成される複数の開口（４２）を有し、各開口（４２）は、前記ＰＣＢの部分の上に横たわる固定位置に前記シールドカンの蓋（４０）がある場合に開口を通って前記コネクタピン（３２）の各１個を受け付けるように構成され、
各開口（４２）を通ってのコネクタピン（３２）の挿入を促進するように構成されるガイドスリーブ（４４）が、前記開口（４２）それぞれの内部に配置され、各ガイドスリーブ（４４）は、電気絶縁材料を含み、
前記ソケット（５０）は、カード（６０）の電気接点が前記コネクタピン（３２）と接触するように前記ソケット内に前記カード（６０）を取り外し可能に受け付けるように構成される
ことを特徴とするカードリーダ（３０）。
【請求項２】
各ガイドスリーブ（４４）は円錐構造を有することを特徴とする請求項１に記載のカードリーダ（３０）。
【請求項３】
各ガイドスリーブ（４４）は高分子材料を含むことを特徴とする請求項２に記載のカードリーダ（３０）。
【請求項４】
前記シールドカンの蓋（４０）は、銅、銅合金、アルミニウム、アルミニウム合金、金、金合金、銀、銀合金、はんだ被覆銅、ニッケル平板鋼、及び金属化高分子材料から成る集合から選択される材料を含むことを特徴とする請求項１に記載のカードリーダ（３０）。
【請求項５】
各コネクタピン（３２）は円錐構造を有することを特徴とする請求項１に記載のカードリーダ（３０）。
【請求項６】
各コネクタピン（３２）は、当該コネクタピン（３２）を前記ＰＣＢ（３４）から飛び出させるように構成されるバイアス部材を有することを特徴とする請求項１に記載のカードリーダ（３０）。
【請求項７】
前記バイアス部材はコイルバネ（３５）を含むことを特徴とする請求項６に記載のカードリーダ（３０）。
【請求項８】
プリント基板「ＰＣＢ」（３４）を含む電子デバイス（１０）のための、カードリーダ（３０）であって、
隣接して間隔を保ち前記ＰＣＢ（３４）の部分から外へ向かって延びる複数の電気コネクタピン（３２）と、
前記ＰＣＢの部分の上に横たわるように構成されるシールドカンの蓋（４０）と、
前記シールドカンの蓋（４０）の外面（４０ａ）に固定されるソケット（５０）と、
を備え、
各コネクタピン（３２）は、当該コネクタピン（３２）を前記ＰＣＢ（３４）から飛び出させるように構成されるバイアス部材を有し、
前記シールドカンの蓋（４０）は、導電材料を含み、隣接して間隔を保って内部に形成される複数の開口（４２）を有し、各開口（４２）は、前記ＰＣＢの部分の上に横たわる固定位置に前記シールドカンの蓋（４０）がある場合に開口を通って前記コネクタピン（３２）の各１個を受け付けるように構成され、
前記ソケット（５０）は、カード（６０）の電気接点が前記コネクタピン（３２）と接触するように前記ソケット内に前記カード（６０）を取り外し可能に受け付けるように構成され、
前記カードリーダは、前記開口（４２）それぞれの内部に配置されるガイドスリーブ（４４）を備え、各ガイドスリーブ（４４）は、電気絶縁材料を含み、各開口（４２）を通ってのコネクタピン（３２）の挿入を促進するように構成される
ことを特徴とするカードリーダ（３０）。
【請求項９】
各ガイドスリーブ（４４）は円錐構造を有することを特徴とする請求項８に記載のカードリーダ（３０）。
【請求項１０】
各コネクタピン（３２）は円錐構造を有することを特徴とする請求項８に記載のカードリーダ（３０）。
【請求項１１】
前記バイアス部材はコイルバネ（３５）を含むことを特徴とする請求項８に記載のカードリーダ（３０）。
【請求項１２】
ハウジングと、
前記ハウジング内部に配置されるプリント基板「ＰＣＢ」（３４）と、
隣接して間隔を保ち前記ＰＣＢ（３４）の部分から外へ向かって延びる複数の電気コネクタピン（３２）と、
前記ＰＣＢの部分の上に横たわるように構成されるシールドカンの蓋（４０）と、
前記シールドカンの蓋（４０）の外面（４０ａ）に固定されるソケット（５０）と、
を備え、
前記シールドカンの蓋（４０）は、導電材料を含み、隣接して間隔を保って内部に形成される複数の開口（４２）を有し、各開口（４２）は、前記ＰＣＢの部分の上に横たわる固定位置に前記シールドカンの蓋（４０）がある場合に開口を通って前記コネクタピン（３２）の各１個を受け付けるように構成され、
各開口（４２）を通ってのコネクタピン（３２）の挿入を促進するように構成されるガイドスリーブ（４４）が、前記開口（４２）それぞれの内部に配置され、各ガイドスリーブ（４４）は、電気絶縁材料を含み、
前記ソケット（５０）は、カード（６０）の電気接点が前記コネクタピン（３２）と接触するように前記ソケット内に前記カード（６０）を取り外し可能に受け付けるように構成される
ことを特徴とする電子デバイス（１０）。
【請求項１３】
前記ソケット（５０）内部に配置されるカード（６０）を更に備えることを特徴とする請求項１２に記載の電子デバイス（１０）。
【請求項１４】
前記カード（６０）は加入者ＩＤモジュール「ＳＩＭ」カードであることを特徴とする請求項１３に記載の電子デバイス（１０）。
【請求項１５】
前記カード（６０）はメモリカードであることを特徴とする請求項１３に記載の電子デバイス（１０）。
【請求項１６】
各ガイドスリーブ（４４）は円錐構造を有することを特徴とする請求項１２に記載の電子デバイス（１０）。
【請求項１７】
各コネクタピン（３２）は円錐構造を有することを特徴とする請求項１２に記載の電子デバイス。
【請求項１８】
各コネクタピン（３２）は、当該コネクタピン（３２）を前記ＰＣＢ（３４）から飛び出させるように構成されるバイアス部材を有することを特徴とする請求項１２に記載の電子デバイス（１０）。
【請求項１９】
前記バイアス部材はコイルバネ（３５）を含むことを特徴とする請求項１８に記載の電子デバイス（１０）。
【請求項２０】
前記電子デバイス（１０）は無線電話であることを特徴とする請求項１２に記載の電子デバイス（１０）。
【手続補正２】
【補正対象書類名】明細書
【補正対象項目名】０００３
【補正方法】変更
【補正の内容】
【０００３】
ＳＩＭカードは、無線電話に対して着脱されるように構成される。ＳＩＭカードリーダは、一般的に無線電話に組み込まれており、ＳＩＭカードの装着及び取り外しを促す。そのようなものとして、ＳＩＭカードは可搬であり、或る無線電話から別の無線電話へと切り替え可能である。データの可搬性は、多数の利益を提供する。例えば、新しい無線電話を購入したユーザは、現在のＳＩＭカードを装着することにより、新しい無線電話に対して、古い無線電話と同じ番号及びユーザプリファレンスなどを関連づけることができる。
文献ＷＯ  ９８／３４２１８  Ａ２は、スマートカードの電気機械的な受け付けデバイスを提示する。受け付けデバイスは、内部に収容されたプリント基板と、スマートカードとプリント基板との間の電気的接続を提供するバネで負荷がかけられたボールの構造とを有する、密封プラスチックケースとして提供される。
文献ＵＳ  ２００５／００７０１７１  Ａ１には、ＳＩＭカードコネクタが記述されている。ＳＩＭカードコネクタは、ベースと、カバーと、ベースに対してカバーを旋回するように接続するピボットとを備える。ベースは絶縁ハウジングを有する。カバーはトップカバー及びボトムカバーを有し、カードを受け付けるスロットを規定する。
文献ＵＳ  ６９７１９１８  Ｂ１は、カードコネクタを開示し、カードコネクタは、絶縁部材と、間隔を持つ第１の接触端子の後ろの行と、間隔を持つ第１の接触端子の前の行と、間隔を持つ第２の接触端子の行と、シールドカバーとを備える。絶縁部材は、第１の電子カードを受け付ける第１の受け付け空間と、第２の電子カードを受け付ける第２の受け付け空間とを有する。
文献ＷＯ  ２００７／０２５７５８  Ａ１は、小さいピッチを持つカードのためのシールドデバイスを持つスマートカードコネクタを提示する。２つのスマートカードのためのスマートカードコネクタは、コンタクトキャリアを備え、そこでは、第１のカードのコンタクトエリアと接触するためのコンタクトエレメントの第１のセットと、第２のカードのコンタクトエリアと接触するためのコンタクトエレメントの第２のセットとが提供される。
【手続補正書】
【提出日】平成22年1月14日(2010.1.14)
【手続補正１】
【補正対象書類名】特許請求の範囲
【補正対象項目名】全文
【補正方法】変更
【補正の内容】
【特許請求の範囲】
【請求項１】
プリント基板「ＰＣＢ」（３４）を含む電子デバイス（１０）のための、カードリーダ（３０）であって、
隣接して間隔を保ち前記ＰＣＢ（３４）の部分から外へ向かって延びる複数の電気コネクタピン（３２）と、
前記ＰＣＢの部分の上に横たわるように構成されるシールドカンの蓋（４０）と、
前記シールドカンの蓋（４０）の外面（４０ａ）に固定されるソケット（５０）と、
を備え、
前記シールドカンの蓋（４０）は、導電材料を含み、隣接して間隔を保って内部に形成される複数の開口（４２）を有し、各開口（４２）は、前記ＰＣＢの部分の上に横たわる固定位置に前記シールドカンの蓋（４０）がある場合に開口を通って前記コネクタピン（３２）の各１個を受け付けるように構成され、
各開口（４２）を通ってのコネクタピン（３２）の挿入を促進するように構成されるガイドスリーブ（４４）が、前記開口（４２）それぞれの内部に配置され、各ガイドスリーブ（４４）は、電気絶縁材料を含み、
前記ソケット（５０）は、カード（６０）の電気接点が前記コネクタピン（３２）と接触するように前記ソケット内に前記カード（６０）を取り外し可能に受け付けるように構成される
ことを特徴とするカードリーダ（３０）。
【請求項２】
各ガイドスリーブ（４４）は円錐構造を有することを特徴とする請求項１に記載のカードリーダ（３０）。
【請求項３】
前記シールドカンの蓋（４０）は、銅、銅合金、アルミニウム、アルミニウム合金、金、金合金、銀、銀合金、はんだ被覆銅、ニッケル平板鋼、及び金属化高分子材料から成る集合から選択される材料を含むことを特徴とする請求項１に記載のカードリーダ（３０）。
【請求項４】
各コネクタピン（３２）は円錐構造を有することを特徴とする請求項１に記載のカードリーダ（３０）。
【請求項５】
各コネクタピン（３２）は、当該コネクタピン（３２）を前記ＰＣＢ（３４）から飛び出させるように構成されるバイアス部材を有することを特徴とする請求項１に記載のカードリーダ（３０）。
【請求項６】
プリント基板「ＰＣＢ」（３４）を含む電子デバイス（１０）のための、カードリーダ（３０）であって、
隣接して間隔を保ち前記ＰＣＢ（３４）の部分から外へ向かって延びる複数の電気コネクタピン（３２）と、
前記ＰＣＢの部分の上に横たわるように構成されるシールドカンの蓋（４０）と、
前記シールドカンの蓋（４０）の外面（４０ａ）に固定されるソケット（５０）と、
を備え、
各コネクタピン（３２）は、当該コネクタピン（３２）を前記ＰＣＢ（３４）から飛び出させるように構成されるバイアス部材を有し、
前記シールドカンの蓋（４０）は、導電材料を含み、隣接して間隔を保って内部に形成される複数の開口（４２）を有し、各開口（４２）は、前記ＰＣＢの部分の上に横たわる固定位置に前記シールドカンの蓋（４０）がある場合に開口を通って前記コネクタピン（３２）の各１個を受け付けるように構成され、
前記ソケット（５０）は、カード（６０）の電気接点が前記コネクタピン（３２）と接触するように前記ソケット内に前記カード（６０）を取り外し可能に受け付けるように構成され、
前記カードリーダは、前記開口（４２）それぞれの内部に配置されるガイドスリーブ（４４）を備え、各ガイドスリーブ（４４）は、電気絶縁材料を含み、各開口（４２）を通ってのコネクタピン（３２）の挿入を促進するように構成される
ことを特徴とするカードリーダ（３０）。
【請求項７】
各ガイドスリーブ（４４）は円錐構造を有することを特徴とする請求項６に記載のカードリーダ（３０）。
【請求項８】
各コネクタピン（３２）は円錐構造を有することを特徴とする請求項６に記載のカードリーダ（３０）。
【請求項９】
ハウジングと、
前記ハウジング内部に配置されるプリント基板「ＰＣＢ」（３４）と、
隣接して間隔を保ち前記ＰＣＢ（３４）の部分から外へ向かって延びる複数の電気コネクタピン（３２）と、
前記ＰＣＢの部分の上に横たわるように構成されるシールドカンの蓋（４０）と、
前記シールドカンの蓋（４０）の外面（４０ａ）に固定されるソケット（５０）と、
を備え、
前記シールドカンの蓋（４０）は、導電材料を含み、隣接して間隔を保って内部に形成される複数の開口（４２）を有し、各開口（４２）は、前記ＰＣＢの部分の上に横たわる固定位置に前記シールドカンの蓋（４０）がある場合に開口を通って前記コネクタピン（３２）の各１個を受け付けるように構成され、
各開口（４２）を通ってのコネクタピン（３２）の挿入を促進するように構成されるガイドスリーブ（４４）が、前記開口（４２）それぞれの内部に配置され、各ガイドスリーブ（４４）は、電気絶縁材料を含み、
前記ソケット（５０）は、カード（６０）の電気接点が前記コネクタピン（３２）と接触するように前記ソケット内に前記カード（６０）を取り外し可能に受け付けるように構成される
ことを特徴とする電子デバイス（１０）。
【請求項１０】
前記ソケット（５０）内部に配置されるカード（６０）を更に備え、前記カード（６０）は加入者ＩＤモジュール「ＳＩＭ」カード又はメモリカードであることを特徴とする請求項９に記載の電子デバイス（１０）。
【国際調査報告】
2010529525.tif 000009
2010529525.tif 000010
2010529525.tif 000011